(57)【特許請求の範囲】
【請求項１】
書類をエリアセンサの撮影範囲に向かって鉛直に落下する方向に案内及び搬送し、落下方向に搬送されている該書類の位置を検出し、位置検出信号に応じて該エリアセンサにより該書類を撮影する方法であって、
前記エリアセンサは、前記撮影範囲に向かって鉛直に落下する方向に案内及び搬送された前記書類を、該書類の落下中に断続的に複数回撮影することを特徴とする書類撮影方法。
【請求項２】
前記撮影は、落下方向に沿った前記書類の寸法と前記エリアセンサの撮影範囲における該落下方向長さとから定められる回数なされることを特徴とする請求項１記載の書類撮影方法。
【請求項３】
前記撮影は、直前回に撮影された前記書類の一部を重ね撮りすることを特徴とする請求項１記載の書類撮影方法。
【請求項４】
前記書類の落下方向先端部を検出し、前記先端部検出から前記書類が前記エリアセンサの撮影可能範囲に達するまでの時間が経過した際に、該エリアセンサを用いて該書類の初回の撮影をすることを特徴とする請求項１記載の書類撮影方法。
【請求項５】
前記書類の落下方向の長さと前記エリアセンサの撮影範囲の該落下方向長さとに応じて前記書類の落下速度を低下し、
前記落下速度の低下分だけ前記書類は前記撮影範囲に位置する時間が延長され、
前記延長された時間を活用して前記重ね撮りをすることを特徴とする請求項３記載の書類撮影方法。
【請求項６】
書類をエリアセンサの撮影範囲に向かって鉛直に落下する方向に案内及び搬送するローラと、
前記書類の位置を検出し検出信号を出力するセンサと、
前記センサが出力する位置検出信号に応じて、前記撮影範囲に落下方向に搬送されている前記書類を撮影するエリアセンサと、
を有し、
前記エリアセンサは、前記撮影範囲に比して長尺である前記書類が前記撮影範囲に落下してきた際、前記位置検出信号に応じたタイミングで落下中の前記書類を断続的に複数回撮影することを特徴とする書類撮影装置。
【発明の詳細な説明】
【０００１】
【産業上の利用分野】
本発明は証券等の書類の撮影装置・方法に関し、特に高速で証券等の帳票類を撮影する装置における、長尺証券の全面を漏れなく撮影するための方法に関する。
【０００２】
【従来の技術】
従来、証券の両端のいずれか一方を必ず挟持しながら証券を搬送し、ラインセンサを用いて搬送されていく証券の画像を一次元撮影する方法が提案されている（特開昭60-154243号公報参照）。
【０００３】
上記従来の撮影方法において、証券は常に完全に拘束されているため、証券の位置とラインセンサの撮影タイミングを同期させて、証券搬送方向に長い証券（以下、長尺証券という）の撮影も、通常の長さの定形証券の撮影と相違する点はない。
【０００４】
【発明が解決しようとする課題】
本願出願人は、先に画像の高速撮影を実現する新規な証券撮影装置を開発した（特願平7-59876号）。この装置は、証券を落下させ、証券が撮影範囲内に落下してきた時証券全面を一括して撮影する。撮影タイミングは落下してくる証券の位置を検出するセンサを配置することにより供与される。
【０００５】
例えば、落下してくる証券の落下方向後端の検出（センサの検出ラインを証券全体が通過）に同期して、撮影タイミングを作る方法が考えられる。図３はこの方法を説明するための図である。
【０００６】
図３を参照して、この方法においては、上記後端部検出によるタイミング生成により長尺証券を１度に撮影する場合、先端検出から後端検出するまでの時間が長く、後端を検出した時には既に先端部は撮影範囲を通過しているために、長尺証券の先端部の画像が欠落するおそれがある。
【０００７】
上記先端部検出によるタイミング生成方法により長尺証券を撮影する場合を図４を参照して説明する。
【０００８】
しかしながら、図４に示す方法においては、上記先端部検出によるタイミング生成により長尺証券を撮影する場合、長尺証券の後端部分が欠落するおそれがある。
【０００９】
本発明は、このような問題点に鑑みてなされたものであって、落下する書類を２次元撮影する装置において、長尺書類を撮影する際、画像の欠落が発生しない書類撮影方法及び書類撮影装置を提供することを目的とする。
【００１０】
【課題を解決するための手段】
本発明の書類撮影方法は、上記目的を達成するために、書類をエリアセンサの撮影範囲に向かって鉛直に落下する方向に案内及び搬送し、落下方向に搬送されている該書類の位置を検出し、位置検出信号に応じて該エリアセンサにより該書類を撮影する方法であって、前記エリアセンサは、前記撮影範囲に落下方向に搬送されている前記書類を断続的に複数回撮影することを特徴とする。
また、本発明の書類撮影装置は、書類をエリアセンサの撮影範囲に向かって鉛直に落下する方向に案内及び搬送するローラと、前記書類の位置を検出し検出信号を出力するセンサと、前記センサが出力する位置検出信号に応じて、前記撮影範囲に落下方向に搬送されている前記書類を撮影するエリアセンサと、を有し、前記エリアセンサは、前記撮影範囲に向かって鉛直に落下する方向に案内及び搬送された前記書類を、該書類の落下中に断続的に複数回撮影することを特徴とする。
【００１１】
【作用】
上記構成のもと、本発明によれば、書類の落下方向の長さとエリアセンサの撮影範囲の該落下方向長さとに応じた回数分分割して、落下してくる書類を撮影することにより、長尺書類の場合であっても画像全体が漏れなく撮影される。
【００１２】
好ましくは、書類の落下速度を低くすることにより、重ね撮りが容易化され、一層画像撮影に対する信頼性が向上される。
【００１３】
なお、撮影のタイミングは、光学センサ等による落下してくる書類の位置検出及び検出時間、さらに長尺書類の落下方向長さ等により適宜設定することが可能である。
【００１４】
【実施例】
図面を参照して、本発明の実施例を以下に説明する。
【００１５】
【実施例１】
図２は、本発明の一実施例に係る証券撮影装置の概略構成を説明する図であり、１回目の撮影状態を示す。
【００１６】
図２を参照して、本実施例の証券撮影装置は、ＬＥＤ等の発光素子（以下ＬＥＤとする）１ａとＬＥＤ１ａの出力する光を検出するフォトトランジスタである受光素子１ｂとからなる光学センサ１と、証券２をガラス３間の撮影範囲に案内・搬送する上部紙送りローラ４と、証券２を撮影する一対のエリアＣＣＤカメラ５と、撮影された証券２を受け取る下部紙送りローラ６とを備えている。なお、上部紙送りローラ４はセンサ１の上流に配置してもよい。光学センサ１はＬＥＤ１ａの出力する光が証券２によって遮断されることにより、上方から落下してくる証券２を検出する。さらに、不図示の一対のストロボがガラス３の両側上方に設けられている。ストロボは光学センサの出力する証券２の検出信号に応じて発光して証券２の両面を照らし、照らされた証券２の両面を一対のエリアＣＣＤカメラ５は撮影する。
【００１７】
図２を参照して、本実施例の長尺証券撮影方法を説明する。エリアＣＣＤカメラ５の撮影範囲に比して長尺の証券２を撮影する場合、光学センサ１が落下してくる証券２の落下方向の先端を検出した時タイマのカウントを開始する。そして、この先端部分が撮影に好適な範囲に落下した時（カウントアップした時）１回目の撮影を実行する。このカウント数はセンサ１の検出ラインから撮影に好適な地点までの距離及び証券搬送速度に応じて決定される。
【００１８】
図１は、本発明の一実施例に係る証券撮影装置の概略構成を説明する図であり、２回目の撮影状態を示す。
【００１９】
図１を参照して、２回目の撮影は、１回目の証券２の撮影部分を一部重ね撮りする。重ね撮りにより撮影つなぎ目部分での撮影画像の欠落が高度に防止される。以下、かならず直前で撮影された画像の一部を重ね撮りするように、撮影を４回繰り返す。この撮影回数は撮影範囲の長さと証券の長さとの比によって、しかも重ね撮りがなされるように設定される。
【００２０】
また、撮影回数の上限は、画像信号を一時的に記憶するメモリの容量によっても決まる。本実施例では４枚分の証券２の画像信号を一時的記憶可能なメモリを用いているから最大４分割撮影をすることが可能である。
【００２１】
また、ストロボ照明を用いる場合充電時間を確保する必要がある。さらにエリアＣＣＤカメラ５からの信号を読み出し、記憶するための処理時間が必要であるため、撮影間隔の短縮には制限がある。
【００２２】
そこで、例えば上部紙送りローラ４の証券搬送速度を遅くすることにより（証券移動速度が低下する）、証券は撮影範囲に長時間存在し、例えばストロボの充電時間を十分取るため撮影間隔を長くした場合においても、重ね取りが可能である。
【００２３】
本実施例の方法によれば、長尺証券の撮影においても、長尺証券の画像の一部が欠落することなく、長尺証券全体が数回に分けて漏れなく撮影され、記録されることにより、画像情報の欠落が発生しない。
【００２４】
以上、本発明を上記実施例に即して説明したが、本発明は上記態様にのみ限定されるものでなく、本発明の原理に準ずる各種態様を含むものである。
【００２５】
【発明の効果】
以上説明したように、本発明によれば、書類の落下方向の長さとエリアセンサの撮影範囲の該落下方向長さとに応じた回数分分割して、落下してくる書類を撮影することにより、長尺書類の場合であっても画像全体が漏れなく撮影される。
【００２６】
好ましくは、書類の落下速度を低くすることにより、重ね撮りが容易化され、一層画像撮影に対する信頼性が向上される。
【図面の簡単な説明】
【図１】  本発明の一実施例に係る証券撮影装置の２回目の撮影状態を説明する図である。
【図２】  本発明の一実施例に係る証券撮影装置の１回目の撮影状態を説明する図である。
【図３】  本発明の一実施例に係る証券撮影装置における課題を説明するための図である。
【図４】  本発明の一実施例に係る証券撮影装置における課題を説明するための図である。
【符号の説明】
１  光学センサ
１ａ  ＬＥＤ
１ｂ  受光素子
２  証券（長尺証券）
３  ガラス
４  上部紙送りローラ
５  エリアＣＣＤカメラ（エリアセンサ）
６  下部紙送りローラ
【図１】
0003912804.tif 000002
【図２】
0003912804.tif 000003
【図３】
0003912804.tif 000004
【図４】
0003912804.tif 000005